(57)【要約】【課題】交流スイッチによって複数の色温度に変更可能なＬＥＤ照明の制御回路を提供する。【解決手段】駆動電源１０と、波形発生器２０と、電源駆動回路３０と、第１ＬＥＤランプセット５１と、第２ＬＥＤランプセット６１と、マイクロプロセッサ４０と、第１スイッチ回路５２と、第２スイッチ回路６２とを備える。駆動電源１０は、交流駆動の電源である。波形発生器２０は、駆動電源に接続されており、駆動電源の信号によって必要な駆動波形を形成する。電源駆動回路３０は、駆動電源に接続されている。第１ＬＥＤランプセット５１は、電源駆動回路からの電流により作動可能である。第２ＬＥＤランプセット６１は、第１ＬＥＤランプセットの色温度と異なり、電源駆動回路から電流により作動可能である。マイクロプロセッサ４０は、電源駆動回路３０からの電流により駆動され、波形発生器２０の駆動信号を受信する。【選択図】図１
0003197202.tif 000002
【実用新案登録請求の範囲】
【請求項１】
交流スイッチによって複数の色温度を変更可能なＬＥＤ照明の制御回路であって、
交流駆動の電源である駆動電源と、
前記駆動電源に接続されており、前記駆動電源の信号によって必要な駆動波形を形成する波形発生器と、
前記駆動電源に接続されており、前記駆動電源からの電気をアナログ信号に変換して電圧を安定化させた上、他の回路素子に駆動電源を提供する電源駆動回路と、
前記電源駆動回路からの電流により作動可能である第１ＬＥＤランプセットと、
前記第１ＬＥＤランプセットの色温度と異なり、前記電源駆動回路から電流により作動可能である第２ＬＥＤランプセットと、
前記電源駆動回路の駆動電流により駆動され、前記波形発生器の駆動信号を受信するマイクロプロセッサと、
前記１ＬＥＤランプセットに接続しオンオフ制御することによる点灯または消灯の制御、前記マイクロプロセッサに接続し出力信号を受信する制御、あるいは、前記第１ＬＥＤランプセットに流れる電流を制御することによって前記第１ＬＥＤランプセットの輝度を制御する制御を行う第１スイッチ回路と、
前記第２ＬＥＤランプセットに接続しオンオフ制御することによる点灯または消灯の制御、前記マイクロプロセッサに接続し出力信号を受信する制御、あるいは、前記第２ＬＥＤランプセットに流れる電流を制御することによって前記第２ＬＥＤランプセットの輝度を制御する制御を行う第２スイッチ回路と、を備え、
前記第１ＬＥＤランプセットのＬＥＤストリングの色温度が前記第２ＬＥＤランプセットのＬＥＤストリングの色温度とが異なることを特徴とするＬＥＤ照明の制御回路。
【請求項２】
前記駆動電源は交流の入力端であり、
前記第１スイッチ回路は電界効果トランジスタであり、
前記第２スイッチ回路は前記電界効果トランジスタであり、
前記波形発生器は光カプラであることを特徴とする請求項１記載のＬＥＤ照明の制御回路。
【請求項３】
前記電源駆動回路は、交流直流変換回路と、電圧安定回路を有し、
前記電圧安定回路の入力端が前記交流直流変換回路に接続されており、
前記電圧安定回路は低ドロップアウト電圧レギュレータであることを特徴とする請求項２記載のＬＥＤ照明の制御回路。
【請求項４】
前記光カプラ回路は出力端が前記マイクロプロセッサの信号入力端に接続されており、
前記マイクロプロセッサは、パルス幅変調信号の出力端がそれぞれ前記第１スイッチ回路と前記第２スイッチ回路の制御端に接続されており、前記第１スイッチ回路と前記第２スイッチ回路のオンオフ制御に用いられることを特徴とする請求項３記載のＬＥＤ照明の制御回路。
【請求項５】
前記第１ＬＥＤランプセットと前記第２ＬＥＤランプセットとは、それぞれ同じ数を有し、互いに直列接続するＬＥＤランプストリングを有することを特徴とする請求項１記載のＬＥＤ照明の制御回路。
【請求項６】
前記駆動電源に接続されている調光装置と、
前記駆動電源と前記電源駆動回路との間に接続されている波形発生器をさらに備えることを特徴とする請求項１記載のＬＥＤ照明の制御回路。
【請求項７】
前記駆動電源に接続されている交流スイッチと、
前記駆動電源と前記電源駆動回路との間に接続されている波形発生器をさらに備えることを特徴とする請求項１記載のＬＥＤ照明の制御回路。
【請求項８】
検出回路をさらに備え、
使用者が駆動電源に適用した場合は、システムを検出操作モードに設定して置き、このとき、前記プロセッサに対応するスイッチオン設定において、前記ＬＥＤランプセットが前記検出回路の検出信号を受信することによって、前記ＬＥＤランプセットの点灯または消灯状態を設定した後に、前記駆動信号が前記検出回路を介して前記マイクロプロセッサに入力され、前記マイクロプロセッサによって、前記第１スイッチ回路と前記第２スイッチ回路を制御し、前記第１ＬＥＤランプセットと前記第２ＬＥＤランプセットをオンオフさせることを特徴とする請求項１記載のＬＥＤ照明の制御回路。
【請求項９】
前記検出回路を前記マイクロプロセッサに接続し、外部環境の変化を検出して前記検出信号を前記マイクロプロセッサ伝送し、前記マイクロプロセッサによって、前記スイッチ回路を制御することによって、前記第１ＬＥＤランプセットと前記第２ＬＥＤランプセットのオンオフを制御し、
前記調光装置または前記交流スイッチは前記駆動電源に接続されており、
前記波形発生器は前記駆動電源と前記電源駆動回路との間に接続されており、
前記検出回路は、移動体検出回路および光カプラトランスデューサを含み、外部物体の通過を検出し、検出信号を前記マイクロプロセッサに転送し、前記マイクロプロセッサによって、前記スイッチ回路を制御し、前記ＬＥＤランプセットのオンまたはオフを制御し、
前記移動体検出回路は、出射された無線波が遮断されているか否かを検出し、検出信号をリアアンプに転送して、信号を増幅した後に前記マイクロプロセッサに転送する無線トランスデューサと、を含み、
前記光カプラトランスデューサは、外部の光の強さを検出し、異なる光の強さが前記光カプラトランスデューサに前記調光装置または前記交流スイッチと同じ駆動電流を形成して、前記駆動電流を前記マイクロプロセッサ４０に転送することを特徴とする請求項８記載のＬＥＤ照明の制御回路。
【考案の詳細な説明】
【技術分野】
【０００１】
本考案はＬＥＤの照明装置と制御に関し、特に交流スイッチによって複数の色温度に変更可能なＬＥＤ照明装置の制御回路に関する。
【背景技術】
【０００２】
現在、市販のＬＥＤ照明製品は主に暖色光（色温度２７００〜３５００ケルビン）、温白色光（色温度４０００〜５０００ケルビン）と、冷昼光色（色温度５５００〜６５００ケルビン）合計３つの色温度のＬＥＤランプが販売されている。一つのＬＥＤ照明製品は一種の色温度の光線しか出射できない、人間検出の知能型ＬＥＤランプも同じである。そこで、３つの色温度の光線を出射させる場合には、３種類の色温度のＬＥＤ電球を使用し、かつこれら３種類の色温度のＬＥＤ照明製品にそれぞれ放熱対策のアルミケーシング材、プラスチック製絶縁ブッシング、ＬＥＤ電球、アルミ製放熱基板、透光用ランプシェード、ＬＥＤ駆動電源、人間信号センサー、人間信号アンプ、感光センサー、フレネルレンズ、ランプホルダー、接続ケーブル、取り付けねじ及び熱伝導グルーなど合わせて備えて置く必要がある。これら３種類の色温度のＬＥＤは資源、コスト、労働力、資材、生産時間３通り必要なほかに、輸送費も高く、炭素消費は高くなり、環境保護の潮流にそぐわない。
【考案の概要】
【考案が解決しようとする課題】
【０００３】
さらに、異なる地域の使用者は異なる色温度のＬＥＤ照明と、知能型人間検出ＬＥＤ照明製品を求めるため、単一の色温度ＬＥＤ照明と、固定モードの照明製品は、メーカの生産とＬＥＤ照明製品の普及が不利である。そのため、係る技術はなお改善と発展の余地がある。
【０００４】
本考案は、一つのＬＥＤ回路で３種類の色温度のＬＥＤ照明を実現すると共に、環境光線の強さと、外部物体の無線信号を利用し、ＬＥＤランプセット点灯の制御を行うことによって、コストを軽減し、交流スイッチによって複数の色温度に変更可能であるＬＥＤ照明装置の制御回路を提供することを目的としている。
【課題を解決するための手段】
【０００５】
本稿案によるＬＥＤ照明装置の制御回路は、交流スイッチによって複数の色温度を変更可能なＬＥＤ照明の制御回路であり、駆動電源、波形発生器、電源駆動回路、第１ＬＥＤランプセット、第２ＬＥＤランプセット、マイクロプロセッサ、第１スイッチ回路、および第２スイッチ回路を備える。
駆動電源は、交流駆動の電源である。
波形発生器は、駆動電源に接続されており、駆動電源の信号によって必要な駆動波形を形成する。
電源駆動回路は、駆動電源に接続されており、駆動電源からの電気をアナログ信号に変換して電圧を安定化させた上、他の回路素子に駆動電源を提供する。
第１ＬＥＤランプセットは、電源駆動回路からの電流により作動可能である。
第２ＬＥＤランプセットは、第１ＬＥＤランプセットの色温度と異なり、電源駆動回路から電流により作動可能である。
マイクロプロセッサは、駆動電気として電源駆動回路の電気を取り込み、波形発生器の駆動信号を受信する。
第１スイッチ回路は、第１ＬＥＤランプセットに接続しオンオフ制御することによる点灯または消灯の制御、マイクロプロセッサに接続し出力信号を受信する制御、あるいは、第１ＬＥＤランプセットに流れる電流を制御することによって第１ＬＥＤランプセットの輝度を制御する制御を行う。
第２スイッチ回路は、第２ＬＥＤランプセットに接続しオンオフ制御することによる点灯または消灯の制御、マイクロプロセッサに接続し出力信号を受信する制御、あるいは、第２ＬＥＤランプセットに流れる電流を制御することによって第２ＬＥＤランプセットの輝度を制御する制御を行う。
第１ＬＥＤランプセットのＬＥＤストリングの色温度が第２ＬＥＤランプセットのＬＥＤストリングの色温度とが異なる。
【図面の簡単な説明】
【０００６】
【図１】本考案によるＬＥＤ照明装置の制御回路を示すブロック図である。
【図２】本考案の第一実施形態によるＬＥＤ照明装置の制御回路を示すブロック図である。
【図３】本考案の第二実施形態によるＬＥＤ照明装置の制御回路を示すブロック図である。
【図４】本考案の第一実施形態によるＬＥＤ検出照明の制御回路を示す模式図である。
【図５】本考案の第二実施形態によるＬＥＤ検出照明の制御回路を示す模式図である。
【考案を実施するための形態】
【０００７】
図１は、本考案のＬＥＤ照明装置の制御回路を示すブロック図である。本考案は、電球型、ダウンライト、天井ライト、蛍光灯管、パネルランプ、ＰＡＲランプ、３６０度回転ランプ、石油ランプ、高天井灯など幅広く照明分野に適用することができる。係る回路は、駆動電源１０と、波形発生器２０と、電源駆動回路３０と、第１ＬＥＤランプセット５１と、第２ＬＥＤランプセット６１と、マイクロプロセッサ４０と、第１スイッチ回路５２と、第２スイッチ回路６２とを備える。
【０００８】
駆動電源１０は交流駆動の電源である。
【０００９】
波形発生器２０は、駆動電源１０に接続し、駆動電源１０の信号によって必要な駆動波形を形成する。
【００１０】
電源駆動回路３０は、駆動電源１０に接続し、駆動電源１０からの電気をアナログ信号に変換し電圧を安定化させた上、他の回路素子に駆動電源として提供する。
【００１１】
第１ＬＥＤランプセット５１は、電源駆動回路３０の電気を取り込み、駆動電気とする。
【００１２】
第２ＬＥＤランプセット６１は、電源駆動回路３０からの電気を取り込み、駆動電気とする。そのうち、第２ＬＥＤランプセット６１の色温度は第１ＬＥＤランプセット５１の色温度と異なる。例えば、第２ＬＥＤランプセット５１の色温度が白色のとき、第１ＬＥＤランプセット６１の色温度が黄色である。
【００１３】
マイクロプロセッサ４０は、電源駆動回路３０の電気を取り込み駆動電気とし、波形発生器２０の駆動信号を受信する。
【００１４】
第１スイッチ回路５２は、ＬＥＤランプセット５１に接続していて、オンオフ操作によってＬＥＤランプセット５１を点灯または消灯させ、マイクロプロセッサ４０に接続して、マイクロプロセッサ４０の出力信号を受信することによって、第１ＬＥＤランプセット５１のオンまたはオフを制御でき、さらに、第１ＬＥＤランプセット５１に流れる電流を制御することによって、第１ＬＥＤランプセット５１の輝度を制御することができる。
【００１５】
第２スイッチ回路６２は、第２ＬＥＤランプセット６１に接続していて、オンオフ操作によって第２ＬＥＤランプセット６１を点灯または消灯させ、マイクロプロセッサ４０に接続して、マイクロプロセッサ４０の出力信号を受信することによって、第２ＬＥＤランプセット６１のオンまたはオフを制御でき、さらに、第２ＬＥＤランプセット６１に流れる電流を制御することによって、第２ＬＥＤランプセット６１の輝度を制御することができる。
【００１６】
本考案は２種の操作モードを有する。
（手動操作モード４０１）
図２に示すように、調光する目的で使用者によって駆動電源１０を操作し、本考案のシステムを手動操作モード４０１に設定し、調光装置を駆動電源に接続し、波形発生器を駆動電源と電源駆動回路との間に接続する。このとき、マイクロプロセッサ４０に対応するスイッチオン設定４０１１において、ＬＥＤランプセット５０、６１が使用者の手動操作によりＬＥＤランプセット５０、６１の点灯または消灯状態のみを受け入れる。このとき、駆動信号が波形発生器２０を通じて、マイクロプロセッサ４０に入力し、マイクロプロセッサ４０によってスイッチ回路５２、６２を制御し、ＬＥＤランプセット５０、６１をオンオフする。
【００１７】
（検出操作モード４０２）
図３に示すように、使用者が駆動電源１０の操作によって、本考案のシステムを検出操作モード４０２に設定する。このとき、プロセッサ４０に対応するスイッチオン設定４０２１において、ＬＥＤランプセット５０、６１が検出回路７０のみの検出信号を受信し、ＬＥＤランプセット５０、６１の点灯または消灯状態を決定する。このとき、駆動信号が検出回路７０を通じて、マイクロプロセッサ４０に入力され、マイクロプロセッサ４０によってスイッチ回路５２、６２を制御し、ＬＥＤランプセット５０、６１をオンオフする。
【００１８】
図３に示すように、検出回路７０をマイクロプロセッサ４０に接続していて、検出回路７０によって外部環境の変化を検出し、検出信号をマイクロプロセッサ４０に転送し、マイクロプロセッサ４０によって、スイッチ回路５２、６２を制御させ、ＬＥＤランプセット５０、６１をオンオフする。
【００１９】
以下の段落において、本考案の手動操作モード４０１の一つの回路配置方式を説明する。以下に示す実施形態に制限されることなく、前述機能を実現可能な回路配置は、すべて本考案の請求範囲に含まれる。
【００２０】
本考案をより詳しく説明するため、実施形態の構成を図面に基づいて説明する。
【００２１】
（第一実施形態）
図４は、調光装置によって色調整と光色調整を実現するＬＥＤ照明装置を示す。交流入力端１０１（図２を実現するための駆動電源１０）と、調光装置１０２と、電源駆動回路３０と、光カプラ回路２０（図２を実現するための波形発生器２０）と、マイクロプロセッサ４０を含む。交流入力端１０１を調光装置１０２に接続し、調光装置１０２をそれぞれ光カプラ回路２０と、電源駆動回路３０に接続し、光カプラ回路２０及び電源駆動回路３０ともマイクロプロセッサ４０に接続する。マイクロプロセッサ４０は第１スイッチ回路５２を介して第１ＬＥＤランプセット５１と接続し、マイクロプロセッサ４０は第２スイッチ回路６２を介して第２ＬＥＤランプセット６１と接続する。電源駆動回路３０からそれぞれマイクロプロセッサ４０と、第１ＬＥＤランプセット５１と、第２ＬＥＤランプセット６１に駆動電源を提供する。
【００２２】
電源駆動回路３０は、交流直流変換回路３１と、電圧安定回路３２を含む、電圧安定回路３２の入力端を交流直流変換回路３１の出力端に接続する。
【００２３】
第１スイッチ回路５２は電界効果トランジスタであり、第２スイッチ回路６２も電界効果トランジスタである。
【００２４】
第１ＬＥＤランプセット５１及び第２ＬＥＤランプセット６１の正極をそれぞれ電源駆動回路３０の出力端の正極に接続し、第１ＬＥＤランプセットと第２ＬＥＤランプセットの負極をそれぞれ第１電界効果トランジスタ５２のドレイン電極及び第２電界効果トランジスタ６２のドレイン電極に接続する。第１電界効果トランジスタ５２のソース電極と、第２電界効果トランジスタ６２のソース電極をそれぞれ電源駆動回路３０の出力端の負極に接続する。第１電界効果トランジスタ５２のゲート電極をマイクロプロセッサ４０の第１パルス幅変調信号の出力端に接続し、第２電界効果トランジスタ６２のゲート電極をマイクロプロセッサ４０の第２パルス幅変調信号の出力端に接続する。
【００２５】
図４に示すように、ＬＥＤ発光装置の交流電気の入力端１０１は、活線、ゼロ線、接地線を含めた三相の駆動電源である。光カプラ回路２０の入力ピンを交流入力端１０１のゼロ線に接続し、もう一つの入力端が調光装置１０２を介して、交流入力端１０１の活線に接続する。光カプラ回路２０のうち一つの出力ピンをマイクロプロセッサ４０の信号入力端に接続、つまりマイクロプロセッサ４０のＡＤ１ポートに接続する。ＡＤ１ポートはマイクロプロセッサ４０のＡ／Ｄ変換ポートである。さらに、光カプラ回路２０から出力する信号は矩形波信号であるため、その後マイクロプロセッサ４０を介して、スイッチ回路のオンオフ制御操作に備えるため、光カプラ回路２０の出力端をマイクロプロセッサ４０のＡＤ１ポートに接続して置き、アナログ信号をデジタル信号に変換する。光カプラ回路２０もう一つの出力端を電源駆動回路３０の出力端の負極に接続する。光カプラ回路２０からマイクロプロセッサ４０のＡＤ１ポートに出力する矩形波信号の発生プロセスを以下のとおり説明する。光カプラ回路２０を交流入力端に接続し、交流電気の正の半サイクルが光カプラ回路２０の入力端に備える点灯ダイオードの正極に流れると、点灯ダイオードが点灯し内蔵の三極管を導通させ、ＡＤ１ポートの信号は元来の高電位から低電位に切り替わって、交流電気が負の半サイクルを流れると、点灯ダイオードの稼働を中止し、点灯ダイオードの消灯によって、三極管が導通されず、ＡＤ１ポートの信号を元来の低電位から高電位に切り替わり、これにより、交流電気が絶えずに光カプラ回路の入力ピンに流すことによって、出力端のピンから矩形波信号が出力される。
【００２６】
本実施形態において、電源駆動回路３０は交流直流変換回路３１と、電圧安定回路３２を含む。そのうち、交流直流変換回路３１の入力端を交流入力端１０１に接続し、交流直流変換回路３１の出力端を電圧安定回路３２の入力端に接続されている。電圧安定回路３２の出力端をマイクロプロセッサ４０の電圧入力端に接続して、マイクロプロセッサ４０に稼働電圧Ｖｃｃを提供する。電圧安定回路３２は低ドロップアウト電圧レギュレータ集積回路である。交流直流変換回路３１によって、交流入力端１０１から提供の交流電気を直流電気に変換すると共に、定電圧定電流信号を発生し、電圧と電流は交流直流変換回路３１によって調節可能である。交流直流変換回路３１の出力端がさらに第１ＬＥＤランプセット５１と第２ＬＥＤランプセット６１に接続し、第１ＬＥＤランプセット５１と第２ＬＥＤランプセット６１に稼働の駆動電源を提供する。
【００２７】
本実施形態において、第１ＬＥＤランプセット５１と第２ＬＥＤランプセット６１とも複数の直列接続のＬＥＤランプを有し、しかも第１ＬＥＤランプセット５１のＬＥＤランプの数は、第２ＬＥＤランプセット６１のＬＥＤストリング数と同じ、第１ＬＥＤランプセット５１のＬＥＤランプの色温度は、第２ＬＥＤランプセット６１のＬＥＤランプの色温度と異なる。本実施形態において、ＬＥＤランプの色温度は冷昼光色、暖色光と温白色光の３種類を選択できる。よって、本実施形態において色温度の組み合わせも３種類を選択できる。本実施形態において一組の白色光ＬＥＤランプと、一組の温白色光ＬＥＤランプを選択する。つまり、ＬＥＤ１１−ＬＥＤ１Ｎを冷昼光色に選択し、ＬＥＤ２１−ＬＥＤ２Ｎを温白色光に選択し、第１ＬＥＤランプセット５１のＬＥＤ１１が第２ＬＥＤランプセット６１のＬＥＤ２１の正極をそれぞれ電源駆動回路３０の出力端の正極に接続し、電源駆動回路３０の出力端の正極は、すなわち、交流直流変換回路３１の出力端の正極である。
【００２８】
本実施形態において、第１スイッチ回路５２と、第２スイッチ回路６２にそれぞれ第１電界効果トランジスタと第２電界効果トランジスタを含む、第１電界効果トランジスタのＤ極及び第２電界効果トランジスタのＤ極をそれぞれ第１ＬＥＤランプセット５１と第２ＬＥＤランプセット６１の負極に接続する。ここにおいて、第１電界効果トランジスタのＤ極と第２電界効果トランジスタのＤ極がそれぞれＬＥＤ１ＮとＬＥＤ２Ｎの負極に接続する。第１電界効果トランジスタのＳ極と、第２電界効果トランジスタのＳ極をそれぞれ電源駆動回路３０の出力端の負極に接続し、第１電界効果トランジスタのＧ極をマイクロプロセッサ４０の第１パルス幅変調信号の出力端に接続し、第２電界効果トランジスタのＧ極をマイクロプロセッサ４０の第２パルス幅変調信号の出力端に接続し、マイクロプロセッサ４０の第１パルス幅変調信号出力端と第２パルス幅変調信号の出力端をそれぞれ第１電界効果トランジスタと第２電界効果トランジスタにパルス幅変調信号を提供し、制御第１電界効果トランジスタと第２電界効果トランジスタのオンとオフを制御する。マイクロプロセッサ４０の第１パルス幅変調信号出力端と第２パルス幅変調信号の出力端が絶えるにパルス幅変調信号を発生し、駆動第１電界効果トランジスタまたは第２電界効果トランジスタを導通させ、第１ＬＥＤランプセット５１を駆動して冷昼光色を出射するか、または第２ＬＥＤランプセット６１から暖色光を出射するか、或いは第１ＬＥＤランプセット５１と第２ＬＥＤランプセット６１を同時に点灯させて、温白色光を出射させる。
【００２９】
本考案において、調光装置は例えば、交流スイッチ（図示しない）であっても良い。ただし、交流スイッチを使用する場合は、切り換え操作のみとなり、スイッチを操作することによって、光カプラから出力される矩形波信号のパルス幅を変化させて、ＬＥＤ点灯の明滅調節ができない。
【００３０】
（第二実施形態）
図５は、本考案の検出操作モード４０２（図３を参照）を実現するための回路図である。本実施形態において図５の実施形態は、同じ素子に同じ符号を割り当てられ作用も同じのため、ここでの機能説明を省略して、両者の異なる点のみを説明する。
【００３１】
本考案において、検出回路７０は以下２種類のセンサーを含めることができる。
【００３２】
無線トランスデューサ７２２は、外部物体の通過を検出し、検出信号をマイクロプロセッサ４０に転送して、マイクロプロセッサ４０によって、スイッチ回路５２、６２を制御し、ＬＥＤランプセット５０、６１をオンオフする移動体検出回路７２は、そのうち、移動体検出回路７２は発信された無線波が遮断されているか否かを検出し、検出信号をリアアンプ７２１に転送して、信号を増幅した上マイクロプロセッサ４０に転送する。
【００３３】
そのうち、無線トランスデューサ７２２は主に赤外線トランスデューサまたはＲＦ電波トランスデューサより構成する。
【００３４】
光カプラトランスデューサ７１は、外部の光の強さを検出し、異なる光の強さが光カプラトランスデューサ７１に異なる駆動電流を形成して、係る駆動電流をマイクロプロセッサ４０に転送する。
【００３５】
マイクロプロセッサ４０は光カプラトランスデューサ７１からの駆動電流を受信し、駆動電流の大小に従って、ＬＥＤランプセット５０、６１に必要な点灯の輝度を決定すると共に、第１第２スイッチ５２と第２スイッチ６２回路を駆動することによって、第１ＬＥＤランプセットと第２ＬＥＤランプセットに必要な輝度を点灯させる。
【００３６】
よって、検出操作モード４０２が選択されたとき、本考案のシステムはまず移動体検出回路７２により、人間または移動体が照明空間に進入しているか否かを確認する。人間または移動体が照明空間に進入したとき、マイクロプロセッサ４０によって点灯させる。引き続き、光カプラトランスデューサ７１によって、照明空間の輝度を決められ、プロセッサ４０に伝送される。
【００３７】
マイクロプロセッサの第２信号の入力端４３を感光センサー７１に接続し、第３信号入力端４２を移動体検出回路７２に接続し、確実に移動体検出回路７２の信号増幅器７２１と互いに接続する。感光センサー７１が環境光線の強さを検出することによって、第２信号の入力端４３に矩形波信号を出力し、移動体検出回路７２が外部物体から発信された無線信号を検出した後に第３信号の入力端４２に矩形波信号を出力する。
【００３８】
係るＬＥＤ点灯の制御方法について、そのうち、感光センサーによって環境光線が設定値より低いことが検出された場合、マイクロプロセッサから夜を判断すると共に、第１スイッチ回路にパルス幅変調信号を出力し、第１スイッチ回路を駆動して導通すると共に、第１ＬＥＤランプセットを制御し点灯させる。
【００３９】
このように、交流スイッチによって交流電気のオンオフを絶えずに制御し、ＬＥＤランプセットを様々な色温度の光を出射できるほか、ＬＥＤランプセットから異なる色温度の光線を出射するときに、環境光線の強さと、外部物体の無線信号を検出することによって、ＬＥＤランプセットの点灯を制御して、ＬＥＤランプセット点灯の自動制御を実現し、環境保護の目的を達成することができる。さらに、ＬＥＤの照明機能を増強することによって、ＬＥＤ照明をより知能化させ、ＬＥＤ照明製品の応用と普及に有利する。
【００４０】
本考案のＬＥＤ回路は、電球型、ダウンライト、天井ライト、蛍光灯管、パネルランプ、ＰＡＲランプ、３６０度回転ランプ、石油ランプ、高天井灯など幅広く照明分野に適用できる。その外観は灯具の要求にしたがって任意に変更できるほか、ＬＥＤ照明に要求されたパワーに従って、駆動電源を調節し、各種灯具の要求パワーに対応することができ、応用範囲が極めて幅広い。
ここに説明することは、本考案の応用は以上に取り上げた例に止まらず、本業者がなされた以上の説明に基づく改善または置き換えは、すべて実用新案登録請求の範囲に含むものとする。
【図１】
0003197202.tif 000003
【図２】
0003197202.tif 000004
【図３】
0003197202.tif 000005
【図４】
0003197202.tif 000006
【図５】
0003197202.tif 000007
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
交流スイッチによって複数の色温度を変更可能なＬＥＤ照明の制御回路であって、
交流駆動の電源である駆動電源と、
前記駆動電源に接続されており、前記駆動電源の信号によって必要な駆動波形を形成する波形発生器と、
前記駆動電源に接続されており、前記駆動電源からの電気をアナログ信号に変換して電圧を安定化させた上、他の回路素子に駆動電源を提供する電源駆動回路と、
前記電源駆動回路からの電流により作動可能である第１ＬＥＤランプセットと、
前記第１ＬＥＤランプセットの色温度と異なり、前記電源駆動回路から電流により作動可能である第２ＬＥＤランプセットと、
前記電源駆動回路の駆動電流により駆動され、前記波形発生器の駆動信号を受信するマイクロプロセッサと、
前記１ＬＥＤランプセットに接続しオンオフ制御することによる点灯または消灯の制御、前記マイクロプロセッサに接続し出力信号を受信する制御、あるいは、前記第１ＬＥＤランプセットに流れる電流を制御することによって前記第１ＬＥＤランプセットの輝度を制御する制御を行う第１スイッチ回路と、
前記第２ＬＥＤランプセットに接続しオンオフ制御することによる点灯または消灯の制御、前記マイクロプロセッサに接続し出力信号を受信する制御、あるいは、前記第２ＬＥＤランプセットに流れる電流を制御することによって前記第２ＬＥＤランプセットの輝度を制御する制御を行う第２スイッチ回路と、を備え、
前記第１ＬＥＤランプセットのＬＥＤストリングの色温度が前記第２ＬＥＤランプセットのＬＥＤストリングの色温度とが異なることを特徴とするＬＥＤ照明の制御回路。
【請求項２】
前記駆動電源は交流の入力端であり、
前記第１スイッチ回路は電界効果トランジスタであり、
前記第２スイッチ回路は前記電界効果トランジスタであり、
前記波形発生器は光カプラであることを特徴とする請求項１記載のＬＥＤ照明の制御回路。
【請求項３】
前記電源駆動回路は、交流直流変換回路と、電圧安定回路を有し、
前記電圧安定回路の入力端が前記交流直流変換回路に接続されており、
前記電圧安定回路は低ドロップアウト電圧レギュレータであることを特徴とする請求項２記載のＬＥＤ照明の制御回路。
【請求項４】
出力端が前記マイクロプロセッサの信号入力端に接続されている光カプラ回路をさらに備え、
前記マイクロプロセッサは、パルス幅変調信号の出力端がそれぞれ前記第１スイッチ回路と前記第２スイッチ回路の制御端に接続されており、前記第１スイッチ回路と前記第２スイッチ回路のオンオフ制御に用いられることを特徴とする請求項３記載のＬＥＤ照明の制御回路。
【請求項５】
前記第１ＬＥＤランプセットと前記第２ＬＥＤランプセットとは、それぞれ同じ数を有し、互いに直列接続するＬＥＤランプストリングを有することを特徴とする請求項１記載のＬＥＤ照明の制御回路。
【請求項６】
前記駆動電源に接続されている調光装置と、
前記駆動電源と前記電源駆動回路との間に接続されている波形発生器をさらに備えることを特徴とする請求項１記載のＬＥＤ照明の制御回路。
【請求項７】
前記駆動電源に接続されている交流スイッチと、
前記駆動電源と前記電源駆動回路との間に接続されている波形発生器をさらに備えることを特徴とする請求項１記載のＬＥＤ照明の制御回路。
【請求項８】
検出回路をさらに備え、
使用者が駆動電源に適用した場合は、システムを検出操作モードに設定して置き、このとき、前記プロセッサに対応するスイッチオン設定において、前記第１ＬＥＤランプセットおよび前記第２ＬＥＤランプセットが前記検出回路の検出信号を受信することによって、前記第１ＬＥＤランプセットおよび前記第２ＬＥＤランプセットの点灯または消灯状態を設定した後に、前記駆動信号が前記検出回路を介して前記マイクロプロセッサに入力され、前記マイクロプロセッサによって、前記第１スイッチ回路と前記第２スイッチ回路を制御し、前記第１ＬＥＤランプセットと前記第２ＬＥＤランプセットをオンオフさせることを特徴とする請求項６記載のＬＥＤ照明の制御回路。
【請求項９】
前記検出回路を前記マイクロプロセッサに接続し、外部環境の変化を検出して前記検出信号を前記マイクロプロセッサ伝送し、前記マイクロプロセッサによって、前記第１スイッチ回路および前記第２スイッチ回路を制御することによって、前記第１ＬＥＤランプセットと前記第２ＬＥＤランプセットのオンオフを制御し、
前記調光装置または前記交流スイッチは前記駆動電源に接続されており、
前記波形発生器は前記駆動電源と前記電源駆動回路との間に接続されており、
前記検出回路は、移動体検出回路および光カプラトランスデューサを含み、外部物体の通過を検出し、検出信号を前記マイクロプロセッサに転送し、前記マイクロプロセッサによって、前記第１スイッチ回路および前記第２スイッチ回路を制御し、前記ＬＥＤランプセットのオンまたはオフを制御し、
前記移動体検出回路は、出射された無線波が遮断されているか否かを検出し、検出信号をリアアンプに転送して、信号を増幅した後に前記マイクロプロセッサに転送する無線トランスデューサと、を含み、
前記光カプラトランスデューサは、外部の光の強さを検出し、異なる光の強さが前記光カプラトランスデューサに前記調光装置または前記交流スイッチと同じ駆動電流を形成して、前記駆動電流を前記マイクロプロセッサ４０に転送することを特徴とする請求項８記載のＬＥＤ照明の制御回路。